(57)【要約】【課題】本発明は、対象物に安全な電気信号が印加される電磁波装置の提供を目的とする。【解決手段】本発明の電磁波装置（１００）は、周波数が制御された電気信号を発生する電磁波発生器（１）と、電磁波発生器から発生された電気信号を受け、電気信号から生体に悪影響を与える成分を除去することにより人工生体波を生成し、対象物へ伝達するフィルタ（２）と、対象物の状態を検出するセンサ（３）と、センサと電磁波発生器の間に接続され、センサによって検出された対象物の状態に基づいて電磁波発生器で発生される電気信号の周波数を変更する指令を電磁波発生器に与えるフィードバック制御部（４）と、を有する。【選択図】        図１
2004180946.tif 000002
【特許請求の範囲】
【請求項１】
周波数が制御された電気信号を発生する電磁波発生器と、
上記電磁波発生器から発生された上記電気信号を受け、上記電気信号から生体に悪影響を与える成分を除去することにより人工生体波を生成し、上記人工生体波を対象物へ伝達するフィルタと、
対象物の状態を検出するセンサと、
上記センサと上記電磁波発生器の間に接続され、上記センサによって検出された対象物の状態に基づいて上記電磁波発生器で発生される上記電気信号の周波数を変更する指令を上記電磁波発生器に与えるフィードバック制御部と、
を有する電磁波装置。
【請求項２】
上記フィルタはフィルタ特性を変更することにより調整できるように構成され、
上記フィードバック制御部は、更に上記フィルタに接続され、上記センサによって検出された対象物の状態に基づいて上記フィルタ特性を変更する指令を上記フィルタに与えるように構成されている、
請求項１記載の電磁波装置。
【請求項３】
上記フィルタは、人体組成と同じミネラル成分水を含む、請求項１又は２記載の電磁波装置。
【請求項４】
上記フィルタは、上記ミネラル成分水を通す生体膜を含む、請求項３記載の電磁波装置。
【請求項５】
上記フィードバック制御部に接続され、対象物からの長期フィードバック情報を取得し、上記フィードバック制御部に長期フィードバック制御を実施させる制御部を更に有する、請求項１乃至４のうちいずれか一項記載の電磁波装置。
【請求項６】
上記センサは、対象物の硬さ、対象物内の電位差、及び、対象物を通る電流のうちの少なくとも一つの状態を検出する、請求項１乃至５のうちいずれか一項記載の電磁波装置。
【請求項７】
請求項１乃至６のうちいずれか一項記載の電磁波装置を含む、治療装置。
【請求項８】
請求項１乃至６のうちいずれか一項記載の電磁波装置を含む、計測診断装置。
【発明の詳細な説明】
【０００１】
【発明の属する技術分野】
本発明は、電磁波を利用した医療用電磁波装置、特に、計測診断装置及び治療装置に関する。
【０００２】
【従来の技術】
近年、電磁波を利用した治療の研究や、電磁波治療器を用いた民間療法などが知られている。
【０００３】
しかし、市販されている電磁波治療器によって対象物、例えば、人体に印加される電気信号が人体に安全であるかどうかは、一般の人には分からない。
【０００４】
【発明が解決しようとする課題】
本発明は、対象物に安全な電気信号が印加される電磁波装置の提供を目的とする。
【０００５】
更に、本発明は、対象物に対する安全性が確保された電磁波治療装置及び電磁波計測診断装置の提供を目的とする。
【０００６】
【課題を解決するための手段】
本発明は、人体が電気信号に対してフィルタリング効果を発揮する、という原理に基づいている。電気信号が人体に印加された場合、人体を通過して得られる電気信号は、人体に対して有害な成分が除去され、人体に安全な信号、特に、人体の計測や人体の治療に有効な成分である生体波が抽出されている、と考えられる。この現象は、換言すると、人体が電気信号の電気波を変調することに相当する。
【０００７】
したがって、本発明は、第１の局面によれば、
周波数が制御された電気信号を発生する電磁波発生器と、
上記電磁波発生器から発生された上記電気信号を受け、上記電気信号から生体に悪影響を与える成分を除去することにより人工生体波を生成し、上記人工生体波を対象物へ伝達するフィルタと、
対象物の状態を検出するセンサと、
上記センサと上記電磁波発生器の間に接続され、上記センサによって検出された対象物の状態に基づいて上記電磁波発生器で発生される上記電気信号の周波数を変更する指令を上記電磁波発生器に与えるフィードバック制御部と、
を有する電磁波装置を提供する。
【０００８】
本発明の電磁波装置によれば、対象物に印加される電気信号は、人体に悪影響を与える成分が除去された人工生体波であるため、対象物に対する安全性が確保される。さらに、発生される電気信号の周波数は、対象物から検出された状態に基づいて制御されるので、対象物が好ましい状態を維持するように電気信号を制御することができる。
【０００９】
また、上記フィルタはフィルタ特性を変更することにより調整できるように構成され、上記フィードバック制御部は、更に上記フィルタに接続され、上記センサによって検出された対象物の状態に基づいて上記フィルタ特性を変更する指令を上記フィルタに与えるように構成されている。このような構成により、フィルタで生成される人工生体波を対象物からのフィードバック情報に基づいて変化させることができる。したがって、対象物が好ましい状態をよりよく維持できるようになる。
【００１０】
上記フィルタは、例えば、人体組成と同じミネラル成分水を含む。
【００１１】
上記フィルタは、上記ミネラル成分水を通す生体膜を含む。
【００１２】
本発明の電磁波装置は、上記フィードバック制御部に接続され、対象物からの長期フィードバック情報を取得し、上記フィードバック制御部に長期フィードバック制御を実施させる制御部を更に有する。
【００１３】
上記センサは、対象物の硬さ、対象物内の電位差、及び、対象物を通る電流のうちの少なくとも一つの状態を検出する。
【００１４】
本発明は、第２の局面によれば、上記本発明の第１の局面による電磁波装置を含む治療装置を提供する。
【００１５】
更に、本発明は、第３の局面によれば、上記本発明の第１の局面による電磁波装置を含む計測診断装置を提供する。
【００１６】
【発明の実施の形態】
以下、添付図面を参照して本発明の実施例を説明する。尚、本発明は、かかる実施例に限定されるものではない。
【００１７】
図１は、本発明の第１実施例による電磁波装置１００の構成図である。電磁波装置１００は、電気信号を発生する電磁波発生器１と、電気信号を人工生体波に変換し、対象物２００に伝達するバイオフィルタ２と、対象物２００の状態を検出するセンサ３と、センサ３からの対象物の状態を示す信号に応じて、電磁気発生器１で発生される電気信号の周波数を調節し、バイオフィルタ２のフィルタ特性を変更するフィードバック制御部４と、を含む。
【００１８】
電磁波発生器１で発生される電磁波（すなわち、電気信号）は、例えば、電流がマイクロアンペアのオーダーであり、電圧は必要最小限に抑えられ（例えば、１２０ボルト以下）、生体波と類似した波形を有する。この電気信号は周波数が制御される。周波数は、例えば、０〜１００００Ｈｚの範囲を変化し、中心周波数は約１０００Ｈｚであり、１〜４０Ｈｚの幅で徐々に増減される。例えば、予め何通りかの周波数パターンを準備し、それらを切り換えてもよい。周波数の調節は、フィードバック制御部４からの周波数調節指令に従って行われる。
【００１９】
バイオフィルタ２は、電磁波発生器１から発生された電気信号を受け、電気信号から生体に悪影響を与える成分を除去することにより有効な成分だけが抽出された人工生体波を生成し、人工生体波を対象物へ伝達する。このバイオフィルタ２はフィルタ特性を変更することにより調整できるように構成することによって、フィードバック制御部４からのフィルタ特性変更命令に応じて、例えば、フィルタ係数で表されるようなフィルタ特性を変更することができる。上記フィルタは、例えば、人体組成と同じミネラル成分水を含む。これにより、人体と同じように、電気信号からの有害成分の除去と有効成分の抽出を行える。上記フィルタは、皮膚又は細胞膜のように、上記ミネラル成分水を通す人工若しくは天然の生体膜を組み込むことによって、さらにフィルタ特性を制御することができる。このようなバイオフィルタ２は、電気信号を変調し、最大電気量を制限し、これによって、利用者は装置の安全性を信頼できるようになる。
【００２０】
センサ３は、対象物２００からリアルタイムに状態情報を取得する。例えば、状態情報としては、対象物の硬さ、対象物の点間の電位差変動、或いは、対象物のある区間を流れる電流の変動などが検出される。対象物が人体である場合には、硬さを検出する代わりに、或いは、硬さの検出に加えて血流量を検出してもよい。
【００２１】
代替的に、或いは、追加的に、センサ３は、返却電流の形、強さ、及び、周波数を検出するセンサ、体温（接触温度）を検出するセンサ、並びに、光透過度を検出するセンサを含み得る。
【００２２】
フィードバック制御部４は、センサ３からの信号に基づいて、電磁波発生器１で発生される電気信号の周波数と、バイオフィルタ２のフィルタ特性をリアルタイム制御する。フィードバック制御部４は、周波数調節指令を生成するため、例えば、周波数変調器と、電磁波特性変調器と、を具備する。また、フィードバック制御部４は、バイオフィルタ２の生体波特性を改良し、生体に有害な成分がより巧く除去されるように、フィルタ特性を変更する。
【００２３】
ここで、フィードバック制御部４は、操作者が電気信号の周波数とバイオフィルタのフィルタ特性を直接調節できるように手動制御機能を備えていてもよい。
【００２４】
また、電磁波発生器１自体をプログラマブルとすることによって、プログラムに従って電気信号の周波数を増減させてもよい。
【００２５】
図２は、本発明の第２実施例による電磁波治療装置１１０の構成図である。本実施例の電磁波治療装置１１０は、図１に関して説明した電磁波装置１００と類似しているが、患者２０１から現況情報・個人情報などを取得して、電気信号の周波数や、バイオフィルタのフィルタ特性を長期的に調節する長期フィードバック制御部５が設けられている点で相違する。長期フィードバックを導入することによって、患者の病状の回復を促進する効果が得られる。
【００２６】
電磁波治療装置１１０は、患者２０１の健康臓器、或いは病的部位、又は細胞、血液に特有の周波数（すなわち、固有周波数）の電気信号を発生することができる。周波数特性は、１０００Ｈｚを中心とした低周波（０〜１００００Ｈｚ）である。例えば、１０通りの周波数パターンを使い分けることができる。このように電気信号の周波数を変化させることによって、マッサージ効果が生じる。また、最適なフィードバック情報を探索して、最適なフィードバック制御が行える。
【００２７】
このような本発明の第２実施例による電磁波治療装置１１０は、患者２０１の病的部位や細胞の反応周波数を正常化させたり、細胞環境水をアルカリ還元水に変化させたり、骨髄活性化により血液細胞の質及び量を正常化させたり、キルスイッチの正常化により異常細胞の自己破壊を促進させることが期待できる。
【００２８】
バイオフィルタ２は、例えば、人体組成と同じミネラル成分水を蓄積した水槽と、電磁波発生器１からの電気信号を入力する電極と、センサ３へ電気信号を出力する電極と、により構成することが可能である。この場合、患者２０１は、水槽内のミネラル成分水に身体をつけることによって、治療を受ける。
【００２９】
図３は、本発明の第３実施例による電磁波計測診断装置１２０の構成図である。本実施例の電磁波計測診断装置１２０は、図１に関して説明した電磁波装置１００と類似しているが、患者２０１から現況情報・個人情報などを取得し、センサ３から患者２０１の状態を取得し、計測・診断用の知識データベース７を活用して、患者２０１の健康状態を診断する計測・診断部６が設けられている点で相違する。図３の例では、計測・診断部６とフィードバック制御部４は、別個に設けられているが、計測・診断部６にフィードバック制御部４の機能を一体化してもよい。
【００３０】
患者２０１からの計測情報には、電圧差、返却電流（形、強さ、周波数）、体温（接触温度）、硬さ（圧力）、光透過度などが含まれるがこれらの例に限定されるものではない。また、患者２０１の現況情報には、例えば、咳、熱、吐き気などの症状が含まれ、現況情報には、例えば、患者２０１の年齢、性別、既往歴などが含まれる。
【００３１】
【発明の効果】
以上の通り、本発明によれば、対象物に電磁波を印加して対象物の状態を検出する際に、生体機能を人工的に再現するフィルタを用いることによって対象物に対する安全性を確保できるので、安全かつ有効な電磁波治療装置及び電磁波計測診断装置が提供される。
【図面の簡単な説明】
【図１】本発明の第１実施例による電磁波装置の構成図である。
【図２】本発明の第２実施例による電磁波治療装置の構成図である。
【図３】本発明の第３実施例による電磁波計測診断装置の構成図である。
【符号の説明】
１    電磁波発生器
２    バイオフィルタ
３    センサ
４    フィードバック制御器
５    長期フィードバック制御器
６    計測・診断部
７    知識データベース
１００    電磁波装置
１１０    電磁波治療装置
１２０    電磁波計測診断装置
【図１】
2004180946.tif 000003
【図２】
2004180946.tif 000004
【図３】
2004180946.tif 000005